(57)【要約】【課題】  受信した文書はそのままで見栄え良く読むことが出来るようにする。【解決手段】  裁断された書類か否かを判別する手段と、ＤＦ付きリーダ装置と、左右の余白量を調整する手段と、画像を蓄積する手段と、画像を送信する手段を持つ画像形成システムであって、ＤＦ付きリーダ装置を用いて読み取った画像を解析して裁断された書類と判断し、当該原稿が両面ならば、ＤＦの種類に応じて、複数ページを読み取った結果、副走査方向の両端の余白幅がオモテ面とウラ面で異なる場合、その左右余白幅をＤＦの種類に合わせて補正した画像に変換し、見栄えを整えてから電子書籍や対抗機に送信することを特徴とする。【選択図】  図１
2013106221.tif 000002
【特許請求の範囲】
【請求項１】
裁断された書類か否かを判別する手段と、ＤＦ付きリーダ装置と、左右の余白量を調整する手段と、画像を蓄積する手段と、画像を送信する手段を持つ画像形成システムであって、ＤＦ付きリーダ装置を用いて読み取った画像を解析して、裁断された書類と判断し、当該原稿が両面ならば、ＤＦの種類に応じて、複数ページを読み取った結果、副走査方向の両端の余白幅がオモテ面とウラ面で異なる場合に、その左右余白幅をＤＦの種類に合わせて補正した画像に変換し、見栄えを整えてから電子書籍や対抗機に送信することを特徴とする画像形成システム。
【請求項２】
前記左右の余白量を調整する手段において、余白量の調整時には原稿全体を読み取り、オモテ面とウラ面で個別に余白量調整を行うか否かを判断することを特徴とする請求項１に記載の画像形成システム。
【請求項３】
前記左右の余白量を調整する手段において、余白量の調整時には原稿全体を読み取り、余白量が一定値以上の原稿データに関しては、余白量調整を行わない判断することを特徴とする請求項１に記載の画像形成システム。
【請求項４】
裁断された書類か否かを判別する手段と、ＤＦ付きリーダ装置と、左右の余白量を調整する手段と、画像を蓄積する手段と、画像を送信する手段を持つ画像形成システムであって、ＤＦ付きリーダ装置を用いて読み取った画像を解析して、裁断された書類と判断し、当該原稿が両面ならば、原稿台から読み取った場合に、複数ページを読み取った結果、副走査方向の両端の余白幅がオモテ面とウラ面で異なる場合に、その左右余白幅を補正した画像に変換し、見栄えを整えてから電子書籍や対抗機に送信することを特徴とする画像形成システム。
【請求項５】
前記左右の余白量を調整する手段において、余白量の調整時には原稿全体を読み取り、オモテ面とウラ面で個別に余白量調整を行うか否かを判断することを特徴とする請求項４に記載の画像形成システム。
【請求項６】
前記左右の余白量を調整する手段において、余白量の調整時には原稿全体を読み取り、余白量が一定値以上の原稿データに関しては、余白量調整を行わない判断することを特徴とする請求項４に記載の画像形成システム。
【発明の詳細な説明】
【技術分野】
【０００１】
本発明は、裁断された書類を再読み込みするというビジネス形態に対応するもので、再読み込み時に裁断前に持っていたレイアウトを出来得る限り維持することが可能で、この電子化した画像情報をインターネットを通じて送信する機能がある画像形成システムに関するものである。
【背景技術】
【０００２】
従来から、画像形成装置においては、ユーザの指示に従って、リーダ装置から読み取った原稿画像を所望の状態に画像形成して再レイアウトする技術がある（例えば特許文献１参照）。また、リーダ装置から読み取った原稿画像を所定の形式に変換してからインターネットを通じて送信する機能がある。
【先行技術文献】
【特許文献】
【０００３】
【特許文献１】特開２００９−２８４４１９号公報
【発明の概要】
【発明が解決しようとする課題】
【０００４】
しかしながら、製本状態の文書の背表紙裁断後の紙をリーダ装置で読み取る場合、左右の余白の一方がカットされるため、背表紙裁断後の紙のオモテ面の読み取り時とウラ面の読み取り時で、左右の余白のバランスは異なる。また、反転両面ＤＦと１パス両面ＤＦではウラ面読み取り時の余白のでき方が異なる。このため、画像の保存／送信などを行う際に、製本状態では実現されていた各ページの左右の余白バランスが崩れる。このまま、読み取った画像を他の表示装置や電子書籍などに送信すると、バランスの崩れたままで読むこととなり見苦しいという問題がある。
【課題を解決するための手段】
【０００５】
そこで、本発明では上記の問題点を解決するために、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、ＤＦの種類に応じて、複数ページを読み取った結果、副走査方向の両端の余白幅がオモテ面とウラ面で異なる場合、その左右余白幅をＤＦの種類に合わせて補正した画像に変換し、見栄えを整えてから電子書籍や対抗機に送信することで、受信した文書はそのままで見栄え良く読むことが出来るようになる。
【０００６】
なお、余白量の調整時には原稿全体を読み取り、オモテ面とウラ面で個別に余白量調整を行うか否かを判断する。
【０００７】
また、余白量が一定値以上の原稿データに関しては、余白量調整をしない制御を行う。
【０００８】
また、ＤＦ付きリーダ装置を用いて読み取った画像を解析して裁断された書類と判断し、当該原稿が両面ならば、原稿台から読み取った場合にも、複数ページを読み取った結果、副走査方向の両端の余白幅がオモテ面とウラ面で異なる場合、その左右余白幅をオモテ面とウラ面で個別に補正した画像に変換し、見栄えを整えてから電子書籍や対抗機に送信することで、受信した文書はそのままで見栄え良く読むことが出来るようになる。
【発明の効果】
【０００９】
以上述べたように、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、ＤＦの種類に応じて、複数ページを読み取った結果、副走査方向の両端の余白幅がオモテ面とウラ面で異なる場合、その左右余白幅をＤＦの種類に合わせて補正した画像に変換し、見栄えを整えてから電子書籍や対抗機に送信することで、受信した文書は、これを受信した電子書籍やＭＦＰなどでバランスの整った画像情報を表示装置でそのままで見栄え良く読むことが出来るようになる。
【００１０】
なお、余白量の調整時には原稿全体を読み取り、オモテ面とウラ面で個別に余白量調整を行うか否かを判断する。
【００１１】
また、余白量が一定値以上の原稿データに関しては、余白量調整をしない制御を行う。
【００１２】
また、ＤＦ付きリーダ装置を用いて読み取った画像を解析して裁断された書類と判断し、当該原稿が両面ならば、原稿台から読み取った場合にも、複数ページを読み取った結果、副走査方向の両端の余白幅がオモテ面とウラ面で異なる場合、その左右余白幅をオモテ面とウラ面で個別に補正した画像に変換し、見栄えを整えてから電子書籍や対抗機に送信することで、受信した文書は、これを受信した電子書籍やＭＦＰなどでバランスの整った画像情報を表示装置でそのままで見栄え良く読むことが出来るようになる。
【図面の簡単な説明】
【００１３】
【図１】本発明で述べられている裁断された文書をＤＦ種類に応じて余白幅を調整して見栄えを整えてから電子書籍や対抗機に送信するシーケンスを表した図
【図２】画像形成装置のシステム構成を示した図
【図３】画像形成装置断面図
【図４】本発明における、裁断された文書を送信するためのモード設定を行う為の画面フローを表した図
【図５】第１の実施例における、裁断された文書の種類（左開きか右開きか）とＤＦの種類による余白幅調整処理のシーケンスを表した図
【図６】第１の実施例における、左開き本で反転両面ＤＦ使用時の実際の画像形成システム内での画像処理の状態を表した図
【図７】第１の実施例における、左開き本で１パス両面ＤＦ使用時の実際の画像形成システム内での画像処理の状態を表した図
【図８】第１の実施例における、右開き本で反転両面ＤＦ使用時の実際の画像形成システム内での画像処理の状態を表した図
【図９】第１の実施例における、右開き本で１パス両面ＤＦ使用時の実際の画像形成システム内での画像処理の状態を表した図
【図１０】本発明で述べられている裁断された文書を原稿台上で読み取った際に余白幅を調整して見栄えを整えてから電子書籍や対抗機に送信するシーケンスを表した図
【図１１】裁断された文書の種類（左開きか右開きか）による原稿台上から読み取った際の余白幅調整処理のシーケンスを表した図
【図１２】第２の実施例における、左開き本で原稿台から読み取り時の実際の画像形成システム内での画像処理の状態を表した図
【図１３】第２の実施例における、右開き本で原稿台から読み取り時の実際の画像形成システム内での画像処理の状態を表した図
【発明を実施するための形態】
【００１４】
［第１の実施例］
以下、図面を参照して本発明の実施例を詳細に説明する。
【００１５】
図２において、デジタル複合機２０２内は、大きく分けて、装置全体の動作を司るデジタル複合機の制御ユニット２０４、出力画像の記録紙への印刷を行うプリンタ装置２１４、記録紙から入力画像を読み取り、データとして装置内部に取り込むリーダ装置２１８からなる。
【００１６】
制御ユニット２０４は、ネットワーク２０１と繋がる通信線２０３を介して個々のクライアント端末やサーバ端末との入出力を司る入出力部２０５を通じて、各端末装置との通信を行う。また、ネットワークより入力される印刷のための制御コードや各種ＰＤＬデータを含む各種データや装置内の各種データの送受信を行う際に利用される入出力バッファ２０６、制御ユニット全体の動作を制御するＣＰＵ２０７、ＣＰＵの動作を記述するプログラムが内蔵されているプログラムＲＯＭ２２２、前記制御コード、データの解釈や印刷、画像の読み込みに等に必要な計算、入出力される画像データの処理のためのワークメモリに利用されるＲＡＭ２１２、装置の電源が遮断されても保持しておく必要のあるデータを格納する不揮発性ＲＡＭ（ＮＶＲＡＭ）２３３が存在する。
【００１７】
プログラムＲＯＭ２２２には、ホストコンピュータから受信した印刷制御データを解釈する制御コマンド解釈部２２３やＰＤＬを解釈するＰＤＬコマンド解釈部２２４、各種の画像オブジェクトを生成する画像情報生成部２２５、画像オブジェクトをビットマップ画像に展開するビットマップ画像展開部２２６、それぞれの処理により得られたビットマップ画像を圧縮／解凍を行う画像圧縮／解凍部２２７、画像データの印刷時の制御を司る画像データ印刷部２２８、画像データの送信時の制御を司る画像データ送信部２２９、画像データのスキャン時の制御を司る画像データ読み取り部２３０、展開された画像や、ＰＤＬのデータを再利用して印字したり、定型のフォームとして利用するオーバレイのデータを外部メモリ２１０に保持して管理する登録画像管理部２３１、機器を利用できるユーザのユーザ名、パスワード等のユーザ情報を管理するユーザ管理部２３２、データやパネルにより機器にアクセスされた場合にユーザの認証を行うユーザ認証部２３６、バリアブルプリント時の色処理不具合警告とその解決を行う画像合成部２３７、画像データの受信時の制御を司る画像データ受信部２３８が存在する。
【００１８】
そして、ビットマップ画像展開部２２６によって展開されたビットマップ画像や、リーダ装置２１８より読み込まれたビットマップ画像等をプリンタ装置２１４に転送するビットマップ画像転送部２１７、プリンタ装置２１４と制御ユニット２０４を繋ぐエンジンＩ／Ｆ部２１６、リーダ装置２１８と制御ユニット２０４を繋ぐスキャナＩ／Ｆ部２２０、スキャナ部から読み込まれたビットマップ画像を取り込むビットマップ画像受信部２２１が存在する。また、ユーザ毎にコマンドの制限を行う情報の入力や、機器全体の操作、および、エラーや操作ガイドなどの表示を行う操作パネル部２０８、制御ユニット２０４と操作パネル部２０８を繋ぐパネルＩ／Ｆ部２０９および、印刷データや外部より入力された画像データ、印刷装置の各種情報等の保存に利用される外部メモリ２１０と制御ユニット２０４と外部メモリ２１０を繋ぐメモリＩ／Ｆ部２１１、そして各ユニットをつなぐシステムバス２１３からシステムは構成されている。
【００１９】
操作パネル部２０８は、登録されている登録画像を表示したり、印刷状況等、本デジタル複合機２０２の各種情報を表示する液晶パネルがあり、この液晶パネルは、同時にタッチパネルとなっており、ユーザが触れた場合に、その入力を検知して、画面から、文字情報の入力等を行うことが可能となっている。また、コピー等のスタートを指示するスタートキー、機器のリセットを行うリセットキー、電源ＯＮ/ＯＦＦのスイッチ、コピー枚数等を指定するためのテンキー、液晶パネルに表示されているカーソルの移動や表示されている機能の選択を行うときに利用するカーソルキーと決定キー、デジタル複合機の機能をコピー、画像送信、文書管理のそれぞれのモードに切り替える機能キー、また、利用するユーザを識別し、認証するためのログインキーからなっている。
【００２０】
プリンタ装置２１４には、紙の給紙から印刷、排出までの印刷の制御を行うエンジン制御部２１５が存在し、リーダ装置２１８には、画像を読み込むための記録紙の給紙、画像の読み込み、排出までの画像読み込みの制御を行うスキャナ制御部２１９が存在している。
【００２１】
次に図２で説明したデジタル複合機のより詳細について、図３を用いて説明する。この複合機は、コピー・プリンタ・ＦＡＸ・送信のそれぞれの機能を有している。
【００２２】
図３において、本複合機はスキャナ３０１とドキュメントフィーダ（ＤＦ）３０２と、カラー４色ドラムを備えるプリント記録用のプリントエンジン３１３と、給紙デッキ３１４とフィニッシャ３１５からなる。
【００２３】
はじめにスキャナ３０１を中心に行われる読取り動作について説明する。原稿台に原稿をセットして読み込みを行なう場合には、原稿台３０７に原稿をセットしてＤＦ３０２を閉じる。すると、開閉センサ３３０が原稿台３０７が閉じられたことを検知した後、スキャナ３０１の筐体内にある反射式の原稿サイズ検知センサ３３１〜３３５が、セットされた原稿サイズを検知する。このサイズ検知を起点にして光源３１０で原稿を照射し、反射板３１１、レンズ３１２を介してＣＣＤ３４３が画像を読み取り、しかる後デジタル信号に変換され、所望の画像処理を行なってレーザ記録信号に変換される。変換された記録信号は、コントローラ内のメモリに格納される。
【００２４】
ＤＦ３０２に原稿をセットして読み込みを行なう場合には、ＤＦ３０２の原稿セット部３０３のトレイに原稿をフェイスアップで載置する。すると、原稿有無センサ３０４が、原稿がセットされたことを検知し、これをうけて原稿給紙ローラ３０５と搬送ベルト３０６が回転して原稿を搬送し、原稿台３０７上の所定の位置に原稿がセットされる。これ以降は原稿台３０７での読み込みと同様に画像が読み込まれ、コントローラ内のメモリに格納される。
【００２５】
読み込みが完了すると、再び搬送ベルト３０６が回転して図の右側に原稿を送り、排紙側の搬送ローラ３０８を経由して原稿排紙トレイ３０９へ排紙する。原稿が複数存在する場合は、原稿台３０７から原稿が図の右側に排紙搬送されるのと同時に、給紙ローラ３０５を経由して左側から次原稿が給送され、次原稿の読み込みが連続的に行なわれる。以上がスキャナの動作である。
【００２６】
続いてプリンタ３１３を中心に行われる印刷動作について説明する。コントローラ内のメモリに一旦記憶された記録信号（印刷画像データ）は、プリンタ３１３へと転送されレーザ記録部でＹｅｌｌｏｗ、Ｍａｇｅｎｔａ、Ｃｙａｎ、Ｂｌａｃｋの4色の記録レーザ光に変換される。そして、各色の感光体３１６に照射され、感光体に静電潜像を形成する。そして、トナーカートリッジ３１７から供給されるトナーによりトナー現像を行い、可視化された画像は中間転写ベルト３２１に一次転写される。その後中間転写ベルト３２１は時計回転方向に回転し、用紙カセット３１８、あるいは給紙デッキ３１４から給紙搬送路３１９を通って給送された記録紙が二次転写位置３２０に来たところで、中間転写ベルト３２１から記録紙へと画像が転写される。
【００２７】
画像が転写された記録紙は、定着器３２２で、加圧と熱によりトナーが定着され、排紙搬送路を搬送された後、フェイスダウンのセンタートレイ３２３か、スイッチバックしてフィニッシャへの排紙口３２４か、あるいはフェイスアップのサイドトレイ３２５へと排紙される（但しサイドトレイ３２５はフィニッシャ３１５が未装着の場合にのみ排紙可能な排紙口である）。フラッパ３２６および３２７は、これらの排紙口を切り替えるために搬送路を切り替えるためのものである。両面プリントの場合には、定着器３２２を通過後に、フラッパ３２７が搬送路を切り替え、その後用紙がスイッチバックして下方に記録紙が送られ、両面印刷用紙搬送路３３０を経て再び二次転写位置３２０に給送され、両面動作を実現する。
【００２８】
続いてフィニッシャ３１５で行われる動作について説明する。フィニッシャ３１５では、ユーザに指定された機能に応じ、印刷済み用紙に対して後処理を加える。具体的には、ステイプル（１個所・２箇所綴じ）やパンチ（２穴・３穴）、製本中綴じ等の機能を有する。図３の複合機には排紙トレイ３２８は２つ有り、フィニッシャ３１５への排紙口３２４を通過してきた記録紙は、ユーザの設定によって、例えばコピー・プリンタ・ＦＡＸ・送信の機能毎に排紙トレイを振り分けられる。プリントエンジン３１３は、カラー４ドラムのプリンタではあるが、カラー１ドラムのエンジンでも良いし、白黒記録のプリンタエンジンでも良いことは言うまでもない。プリンタとして利用される場合、ドライバにより白黒プリント/カラープリント、用紙サイズ、２ＵＰ・４ＵＰ印刷・Ｎ-ＵＰ印刷、両面、ステープル、パンチ、製本中綴じ、合紙、表紙、裏表紙などの各種設定が可能である。
【００２９】
次に、上述したシステム構成でのデジタル複合機のコントローラでの機能、および、動作について、以下に説明する。
【００３０】
＜スキャン画像読み取り機能＞
本デジタル複合機は、リーダ部を通して、原稿からの読み取り画像を印刷や送信などを行うためのスキャン画像読み取り機能を備えている。操作パネル部２０８からパネルＩ／Ｆ部２０９を通して入力されたユーザの指示に従い、ＣＰＵ２０７は、プログラムＲＯＭ２２２に記述された画像データ読み取り部２３０のプログラムに従い、スキャナＩ／Ｆ部２２０を通してリーダ装置２１８を動かし、リーダ装置２１８から原稿文書のスキャン画像をスキャナＩ／Ｆ部２２０を通して取り込む。取り込まれた画像は、ビットマップ画像受信部２２１を通してＲＡＭ２１２に格納され、画像圧縮／解凍部２２７によりビットマップ画像を圧縮し、圧縮画像としてＲＡＭ２１２に保持することになる。
【００３１】
＜画像印刷機能＞
本デジタル複合機は、前記スキャン画像読み取り機能によりＲＡＭ２１２上に保持された圧縮画像を印刷する画像印刷機能を備えている。前記スキャン画像読み取り機能によって得られえた画像の印刷が指定されると、ＣＰＵ２０７は、プログラムＲＯＭ２２２に記述された画像データ印刷部２２８のプログラムに従い、ＲＡＭ２１２に保持されている圧縮画像を、画像圧縮／解凍部２２７によりビットマップ画像に展開し、そのまま印刷することが可能であり、設定されている給紙口や、排紙口、印刷モード等の各種印刷設定をエンジンＩ／Ｆ部２１６を通してエンジン制御部２１５に設定すると共に、選択された画像は、ビットマップ画像転送部２１７においてエンジンＩ／Ｆ部２１６を通して、印刷装置エンジン部に送られ、印刷が行われて指定された排紙口より排紙されることになる。
【００３２】
＜コピー機能＞
本デジタル複合機では、前記スキャン画像読み取り機能と前記画像印刷機能を連続して印刷する機能によりコピー機能を実現している。ユーザが、コピーしたい原稿をリーダ装置にセットし、パネルでコピーキーを選択し、スタートキーを押すことにより、コピー指示を行うと、ＣＰＵ２０７は、スキャン画像読み取り機能および画像印刷機能を実行し、スキャン画像読み取り機能により、原稿のスキャン画像がＲＡＭ２１２に蓄えられると共に、画像印刷機能による印刷が実行され、プリンタ装置より読み取られた画像が印刷されることになる。
【００３３】
＜画像送受信機能＞
本デジタル複合機では、前記スキャン画像読み取り機能によりＲＡＭ２１２上に保持されている画像を送信する機能を有している。ユーザが送信したい原稿をリーダ装置にセットし、パネルで送信キーを選択し、スタートキーを押すことにより、送信指示を行うと、ＣＰＵ２０７はスキャン画像読み取り機能を実行し、原稿のスキャン画像がＲＡＭ２１２に蓄えられると共に、プログラムＲＯＭ２２２に記述された画像データ送信部２２９のプログラムに従い、画像圧縮／解凍部２２７により画像をビットマップ画像に変換して、ＲＡＭ２１２に保存する。その後、ＲＡＭ２１２に保存された画像を、ユーザにより指定されたメールアドレスなどの送信先に対して画像を添付し、入出力バッファ２０６を通して、入出力部２０５より、送信することになる。
【００３４】
本デジタル複合機では画像を受信する機能を有している。他の画像送信機能を有する装置から本デジタル複合機に対して送信された画像データは、プログラムＲＯＭ２２２に記述された画像データ受信部２３８のプログラムに従い、ネットワーク２０１から通信線２０３通じて、入出力部２０５より入出力バッファ２０６を通じて受信される。受信された画像データは、ＲＡＭ２１２上に保持されるか、あるいは、画像印刷機能による印刷が実行され、プリンタ装置より画像が印刷される。
【００３５】
本実施例では、裁断された両面文書をＤＦに載置して読み取り、ＤＦの種類に応じて、複数ページを読み取った結果を原稿種類も加味して各ページの左右の余白幅を計算し、原稿種類とＤＦ種類に応じてオモテ面とウラ面個別に左右の余白幅を調整して画像データを補正して、見栄えを整えてから電子書籍や対抗機に送信する場合について図１及び図４から図９を用いて説明する。
【００３６】
図１は、本発明で述べられている裁断された文書をＤＦ種類に応じて余白幅を調整して見栄えを整えてから電子書籍や対抗機に送信するシーケンスを表した図である。図４は、裁断された文書を送信するためのモード設定を行う為の画面フローを表した図である。図５は、裁断された文書の種類（左開きか右開きか）とＤＦの種類による余白幅調整処理のシーケンスを表した図である。図６から図９は、図５で表した裁断された文書の種類（左開きか右開きか）とＤＦ種類の４パターンについての実際の画像形成システム内での画像処理の状態を表した図である。
【００３７】
まず、画像形成システムの操作パネル部２０８を用いて、裁断された文書を読み取って送信するモードの設定を行う（ステップＳ１０１）。この際の操作状況を、図４を用いて説明する。
【００３８】
設定用の画面を表示させるため、「ユーザモード」キー（図示しない）を押下する（ステップＳ４０１）と、ユーザモードメイン画面が表示される（ステップＳ４０２）。
【００３９】
この例では、このユーザモードメイン画面には、「共通仕様設定」・「タイマー設定」・「調整／クリーニング」・「レポート仕様設定」・「システム管理設定」・「コピー仕様設定」・「送信／受信仕様設定」・「ボックス仕様設定」・「プリンタ仕様設定」・「宛先表仕様設定」があり、ここから「送信／受信仕様設定」を押下すると、送信／受信仕様設定画面が表示される（ステップＳ４０３）。
【００４０】
この送信／受信仕様設定画面には、「送信仕様設定」・「受信仕様設定」の他に「裁断後の文書を送信する」がある。この送信／受信仕様設定画面で「裁断後の文書を送信する」キーを押下すると、裁断後の文書を送信する設定画面が表示される（ステップＳ４０４）。この裁断後の文書を送信する設定画面では、裁断前の製本状態の文書が左開き本だったか右開き本だったかを設定可能である。「左開き」キーか「右開き」キーのどちらかを押下後に「閉じる」キーを押下すると、裁断後の文書を送信する設定がされる。
【００４１】
その後、実際に文書を送信するための電子書籍や対抗機などの送信宛先の指定や送信する原稿のサイズや両面モードやファイル形式などの送信モードを指定する（ステップＳ４０５）。
【００４２】
ステップＳ１０１で裁断された文書を読み取って送信するためのモード設定が済んだら、裁断された文書をＤＦ３０２に載置する（ステップＳ１０２）。
【００４３】
モード設定と原稿セットが済んだら、スタートキーを押下することで原稿読込が開始され（ステップＳ１０３）、ＤＦ３０２上の原稿がリーダ装置２１８によって順次読み込まれる。この際に、ＤＦ３０２の種類は画像形成システム内部で自動的に判別される。
【００４４】
読み込まれた画像データは、ステップＳ４０４で設定した左右の開き方と画像形成システム内部で自動的に判別されるＤＦの種類によって余白量調整処理がページ毎に行われる（ステップＳ１０４）。この際の余白幅調整処理のシーケンスを、図５を用いて説明する。
【００４５】
まず、ステップＳ４０４で指定された原稿が「左開き」か「右開き」かを判別（ステップＳ５０１）し、「左開き」が指定されていた場合には、続いてＤＦ３０２の種類を判別（ステップＳ５０２）し、反転両面ＤＦが装着されている場合には、両面原稿の読み込み時には、最初にオモテ面を読み取り、続いて原稿を自動的にひっくり返してウラ面を読み取る。ここで、「裁断前が左開き本で反転両面ＤＦ使用時」の実際の画像形成システム内での画像処理の状態を図６を用いて説明する。裁断前後の原稿の状態は６０１のようになっている。この原稿を反転両面ＤＦにて読み取った場合には、６０２に表されるようにオモテ面の画像の左の余白が小さくなる。
【００４６】
この際に、ＤＦから引き込んだ原稿の長さと設定した原稿サイズの差を各ページの読み取り時に計算する（ステップＳ５０３）。ここで、原稿がウラ面の場合には、前述の図６の６０２に表されるように余白の補正が不要となるので、オモテ面を読み取ったのかウラ面を読み取ったのかの判別が必要である（ステップＳ５０４）。
【００４７】
原稿のオモテ面を読み取って原稿長さと原稿サイズの幅の差を計算した場合には、オモテ面の画像を該計算したサイズ幅分右にシフト（ステップＳ５０５）させて、当該ページ（オモテ面）の画像を保存する（ステップＳ５０６）。
【００４８】
原稿のウラ面を読み取って原稿長さと原稿サイズの幅の差を計算した場合には、余白の補正が不要となるので、読み取った当該ページの画像をそのまま保存する（ステップＳ５０６）。
【００４９】
この結果、「裁断前が左開き本で反転両面ＤＦ使用時」の「送信する画像として保存される状態」は図６の６０３に表されるように余白幅が調整された状態となる。
【００５０】
ステップＳ５０２で１パス両面ＤＦが装着されている場合には、両面原稿の読み込み時には、オモテ面とウラ面を同時に読み取る。ここで、「裁断前が左開き本で１パス両面ＤＦ使用時」の実際の画像形成システム内での画像処理の状態を図７を用いて説明する。裁断前後の原稿の状態は７０１のようになっている。この原稿を１パス両面ＤＦにて読み取った場合には、７０２に表されるようにオモテ面の画像の左の余白が小さくなり、ウラ面の画像の右の余白が小さくなる。
【００５１】
この際に、ＤＦから引き込んだ原稿の長さと設定した原稿サイズの差をオモテ面とウラ面を同時に読み取り時に計算する（ステップＳ５０７）。ここで、前述の図７の７０２に表されるように、原稿のオモテ面とウラ面で画像のシフト方向が異なる。
【００５２】
すなわち、オモテ面の画像を該計算したサイズ幅分右にシフト（ステップＳ５０８）させて、ウラ面の画像を該計算したサイズ幅分左にシフト（ステップＳ５０９）させて、当該ページ（オモテ面とウラ面）の画像を保存する（ステップＳ５１０）。
【００５３】
この結果、「裁断前が左開き本で１パス両面ＤＦ使用時」の「送信する画像として保存される状態」は図７の７０３に表されるように余白幅が調整された状態となる。
【００５４】
ステップＳ５０１で「右開き」が指定されていた場合には、続いてＤＦ３０２の種類を判別（ステップＳ５１１）し、反転両面ＤＦが装着されている場合には、両面原稿の読み込み時には、最初にオモテ面を読み取り、続いて原稿を自動的にひっくり返してウラ面を読み取る。ここで、「裁断前が右開き本で反転両面ＤＦ使用時」の実際の画像形成システム内での画像処理の状態を図８を用いて説明する。裁断前後の原稿の状態は８０１のようになっている。この原稿を反転両面ＤＦにて読み取った場合には、８０２に表されるようにウラ面の画像の左の余白が小さくなる。
【００５５】
この際に、ＤＦから引き込んだ原稿の長さと設定した原稿サイズの差を各ページの読み取り時に計算する（ステップＳ５１２）。ここで、原稿がオモテ面の場合には前述の図８の８０２に表されるように余白の補正が不要となるので、オモテ面を読み取ったのかウラ面を読み取ったのかの判別が必要である（ステップＳ５１３）。原稿のウラ面を読み取って原稿長さと原稿サイズの幅の差を計算した場合には、ウラ面の画像を該計算したサイズ幅分右にシフト（ステップＳ５１４）させて、当該ページ（ウラ面）の画像を保存する（ステップＳ５１６）。
【００５６】
原稿のオモテ面を読み取って原稿長さと原稿サイズの幅の差を計算した場合には、余白の補正が不要となるので、読み取った当該ページの画像をそのまま保存する（ステップＳ５１５）。
【００５７】
この結果、「裁断前が右開き本で反転両面ＤＦ使用時」の「送信する画像として保存される状態」は図８の８０３に表されるように余白幅が調整された状態となる。
【００５８】
ステップＳ５１１で１パス両面ＤＦが装着されている場合には、両面原稿の読み込み時には、オモテ面とウラ面を同時に読み取る。ここで、「裁断前が右開き本で１パス両面ＤＦ使用時」の実際の画像形成システム内での画像処理の状態を図９を用いて説明する。裁断前後の原稿の状態は９０１のようになっている。この原稿を１パス両面ＤＦにて読み取った場合には、９０２に表されるようにオモテ面もウラ面も余白の補正が不要となる。このため、読み取った２ページの画像をそのまま保存する（ステップＳ５１６）。
【００５９】
この結果、「裁断前が右開き本で１パス両面ＤＦ使用時」の「送信する画像として保存される状態」は図９の９０３に表されるように余白幅が調整された状態となる。
【００６０】
このように読み取った各ページ毎に余白調整処理が施されてゆく。全てのページの読み取りが終了したかは、ＤＦ上の原稿が全て読み込まれたことで判断できる（ステップＳ１０５）。まだ原稿が残っている場合には、ステップＳ１０３とステップＳ１０４が各ページで繰り返し行われながら画像が蓄積される。全ての原稿が読み取られたら、図２及び図３の説明で前述した送信処理が行われる（ステップＳ１０６）。
【００６１】
以上述べたように、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、ＤＦの種類に応じて、複数ページを読み取った結果、副走査方向の両端の余白幅がオモテ面とウラ面で異なる場合、その左右余白幅をＤＦの種類に合わせて補正した画像に変換し、見栄えを整えてから電子書籍や対抗機に送信することで、受信した文書はそのままで見栄え良く読むことが出来るようになる。
【００６２】
［第２の実施例］
上記の第１の実施例においては、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、ＤＦの種類に応じて、複数ページを読み取った結果、副走査方向の両端の余白幅がオモテ面とウラ面で異なる場合、その左右余白幅をＤＦの種類に合わせて補正した画像に変換する場合について説明したが、第２の実施例では、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、原稿台から読み取った場合にも、複数ページを読み取った結果、副走査方向の両端の余白幅がオモテ面とウラ面で異なる場合、その左右余白幅をオモテ面とウラ面で個別に補正した画像に変換し、見栄えを整えてから電子書籍や対抗機に送信する場合について、図４と図１０から図１３を用いて説明する。
【００６３】
図１０は、本発明で述べられている裁断された文書を原稿台上で読み取った際に余白幅を調整して見栄えを整えてから電子書籍や対抗機に送信するシーケンスを表した図である。図４は、裁断された文書を送信するためのモード設定を行う為の画面フローを表した図である。図１１は、裁断された文書の種類（左開きか右開きか）による原稿台上から読み取った際の余白幅調整処理のシーケンスを表した図である。図１２と図１３は、図１１で表した裁断された文書の種類（左開きか右開きか）による原稿台上から読み取り時の２パターンについての実際の画像形成システム内での画像処理の状態を表した図である。
【００６４】
まず、画像形成システムの操作パネル部２０８を用いて、裁断された文書を読み取って送信するモードの設定を行う（ステップＳ１００１）。この際の操作状況を、図４を用いて説明する。
【００６５】
設定用の画面を表示させるため、「ユーザモード」キー（図示しない）を押下する（ステップＳ４０１）と、ユーザモードメイン画面が表示される（ステップＳ４０２）。
【００６６】
この例では、このユーザモードメイン画面には、「共通仕様設定」・「タイマー設定」・「調整／クリーニング」・「レポート仕様設定」・「システム管理設定」・「コピー仕様設定」・「送信／受信仕様設定」・「ボックス仕様設定」・「プリンタ仕様設定」・「宛先表仕様設定」があり、ここから「送信／受信仕様設定」を押下すると、送信／受信仕様設定画面が表示される（ステップＳ４０３）。
【００６７】
この送信／受信仕様設定画面には、「送信仕様設定」・「受信仕様設定」の他に「裁断後の文書を送信する」がある。この送信／受信仕様設定画面で「裁断後の文書を送信する」キーを押下すると、裁断後の文書を送信する設定画面が表示される（ステップＳ４０４）。この裁断後の文書を送信する設定画面では、裁断前の製本状態の文書が左開き本だったか右開き本だったかを設定可能である。「左開き」キーか「右開き」キーのどちらかを押下後に「閉じる」キーを押下すると、裁断後の文書を送信する設定がされる。
【００６８】
その後、実際に文書を送信するための電子書籍や対抗機などの送信宛先の指定や送信する原稿のサイズや両面モードやファイル形式などの送信モードを指定する（ステップＳ４０５）。
【００６９】
ステップＳ１００１で裁断された文書を読み取って送信するためのモード設定が済んだら、裁断された文書を原稿台に載置する（ステップＳ１００２）。
【００７０】
モード設定と原稿セットが済んだら、スタートキーを押下することで原稿読込が開始され（ステップＳ１００３）、原稿台上の原稿がリーダ装置２１８によって読み込まれる。
【００７１】
読み込まれた画像データは、ステップＳ４０４で設定した左右の開き方によって余白量調整処理がページ毎に行われる（ステップＳ１００４）。この際の余白幅調整処理のシーケンスを、図１１を用いて説明する。
【００７２】
まず、ステップＳ４０４で指定された原稿が「左開き」か「右開き」かを判別（ステップＳ１１０１）し、「左開き」が指定されていた場合には、ステップＳ１１０２に進む。ここで、「裁断前が左開き本で原稿台から読み取り時」の実際の画像形成システム内での画像処理の状態を図１２を用いて説明する。裁断前後の原稿の状態は１２０１のようになっている。この原稿を原稿台上で読み取った場合には、１２０２に表されるようにウラ面の画像の右の余白が小さくなる。
【００７３】
この際に、原稿台上で読み込んだ原稿の長さと設定した原稿サイズの差を各ページの読み取り時に計算する（ステップＳ１１０２）。ここで、原稿がオモテ面の場合には、前述の図１２の１２０２に表されるように余白の補正が不要となるので、オモテ面を読み取ったのかウラ面を読み取ったのかの判別が必要である（ステップＳ１１０３）。
【００７４】
原稿のオモテ面を読み取って原稿長さと原稿サイズの幅の差を計算した場合には、余白の補正が不要となるので、読み取った当該ページの画像をそのまま保存する（ステップＳ１１０５）。
【００７５】
原稿のウラ面を読み取って原稿長さと原稿サイズの幅の差を計算した場合には、ウラ面の画像を該計算したサイズ幅分左にシフト（ステップＳ１１０４）させて、当該ページ（ウラ面）の画像を保存する（ステップＳ１１０５）。
【００７６】
この結果、「裁断前が左開き本で原稿台から読み取り時」の「送信する画像として保存される状態」は図１２の１２０３に表されるように余白幅が調整された状態となる。
【００７７】
ステップＳ１１０１で「右開き」が指定されていた場合には、ステップＳ１１０６に進む。ここで、「裁断前が右開き本で原稿台から読み取り時」の実際の画像形成システム内での画像処理の状態を図１３を用いて説明する。裁断前後の原稿の状態は１３０１のようになっている。この原稿を原稿台上で読み取った場合には、１３０２に表されるようにオモテ面の画像の右の余白が小さくなる。
【００７８】
この際に、原稿台上で読み込んだ原稿の長さと設定した原稿サイズの差を各ページの読み取り時に計算する（ステップＳ１１０６）。ここで、原稿がウラ面の場合には、前述の図１３の１３０２に表されるように余白の補正が不要となるので、オモテ面を読み取ったのかウラ面を読み取ったのかの判別が必要である（ステップＳ１１０７）。
【００７９】
原稿のオモテ面を読み取って原稿長さと原稿サイズの幅の差を計算した場合には、オモテ面の画像を該計算したサイズ幅分左にシフト（ステップＳ１１０８）させて、当該ページ（オモテ面）の画像を保存する（ステップＳ１１０９）。
【００８０】
原稿のウラ面を読み取って原稿長さと原稿サイズの幅の差を計算した場合には、余白の補正が不要となるので、読み取った当該ページの画像をそのまま保存する（ステップＳ１１０９）。
【００８１】
この結果、「裁断前が右開き本で原稿台から読み取り時」の「送信する画像として保存される状態」は図１３の１３０３に表されるように余白幅が調整された状態となる。
【００８２】
このように読み取った各ページ毎に余白調整処理が施されてゆく。全てのページの読み取りが終了したか判断する（ステップＳ１００５）。まだ原稿が残っている場合には、原稿を交換しながらステップＳ１００２からステップＳ１００４が各ページで繰り返し行われながら画像が蓄積される。全ての原稿が読み取られたら、図２及び図３の説明で前述した送信処理が行われる（ステップＳ１００６）。
【００８３】
以上述べたように、裁断された書類か否かを判別する手段と、ＤＦ付きリーダ装置と、左右の余白量を調整する手段と、画像を蓄積する手段と、画像を送信する手段を持つ画像形成システムで、ＤＦ付きリーダ装置を用いて読み取った画像を解析して裁断された書類と判断し、当該原稿が両面ならば、原稿台から読み取った場合にも、複数ページを読み取った結果、副走査方向の両端の余白幅がオモテ面とウラ面で異なる場合、その左右余白幅をオモテ面とウラ面で個別に補正した画像に変換し、見栄えを整えてから電子書籍や対抗機に送信することで、受信した文書はそのままで見栄え良く読むことが出来るようになる。
【００８４】
なお、余白量の調整時には原稿全体を読み取り、オモテ面とウラ面で個別に余白量調整を行うか否かを判断する。
【００８５】
また、余白量が一定値以上の原稿データに関しては、余白量調整をしない制御を行う。
【符号の説明】
【００８６】
２０１はネットワーク
２０２はデジタル複合機（画像処理装置）
２０３は通信線
２０４は制御ユニット
２０５は入出力部
２０６は入出力バッファ
２０７はＣＰＵ
２０８は操作パネル部
２０９はパネルＩ／Ｆ部
２１０は外部メモリ部
２１１はメモリＩ／Ｆ部
２１２はＲＡＭ
２１３はシステムバス
２１４はプリンタ装置
２１５はエンジン制御部
２１６はエンジンＩ／Ｆ部
２１７はビットマップ画像転送部
２１８はリーダ装置
２１９はスキャナ制御部
２２０はスキャナＩ／Ｆ部
２２１はビットマップ画像受信部
２２２はプログラムＲＯＭ
２２３は制御データ解釈部
２２４はＰＤＬデータ解釈部
２２５は画像情報生成部
２２６はビットマップ画像展開部
２２７は画像圧縮／解凍部
２２８は画像データ印刷部
２２９は画像データ送信部
２３０は画像データ読み取り部
２３１は登録画像管理部
２３２はユーザ管理部
２３３はＮＶＲＡＭ
２３４はユーザ情報管理テーブル
２３５は制御コマンド管理テーブル
２３６はユーザ認証部
２３７は画像合成部
２３８は画像データ受信部
【図１】
2013106221.tif 000003
【図２】
2013106221.tif 000004
【図３】
2013106221.tif 000005
【図４】
2013106221.tif 000006
【図５】
2013106221.tif 000007
【図６】
2013106221.tif 000008
【図７】
2013106221.tif 000009
【図８】
2013106221.tif 000010
【図９】
2013106221.tif 000011
【図１０】
2013106221.tif 000012
【図１１】
2013106221.tif 000013
【図１２】
2013106221.tif 000014
【図１３】
2013106221.tif 000015